(57)【要約】      （修正有）【課題】様々な使用環境下において高い視認性を確保することができる計器を提供する。【解決手段】計器１０は、制御基板３０と、制御基板３０によって制御され文字が表示される表示部５０と、表示部５０の上方に回転可能に設けられ文字を指示する指針１４と、制御基板３０に実装された光源１６と、光源１６から表示部５０の上面まで延び表示部５０を照らす導光体４０と、を有する。指針１４を照射するための指針照射部１９が、導光体４０に一体的に設けられている。【選択図】図２
2017106805.tif 000002
【特許請求の範囲】
【請求項１】
制御基板と、この制御基板によって制御され文字が表示される表示部と、この表示部の上方に回転可能に設けられ前記文字を指示する指針と、前記制御基板に実装された光源と、この光源から前記表示部の上面まで延び前記表示部を照らす導光体と、を有する計器であって、
前記指針を照射するための指針照射部が、前記導光体に一体的に設けられていることを特徴とする計器。
【請求項２】
前記表示部は、前記導光体の下面に沿って設けられ、
前記指針は、前記指針照射部の上方に位置することを特徴とする請求項１記載の計器。
【請求項３】
前記文字は、前記表示部の外周縁の近傍に表示可能とされ、
前記光源は、前記表示部よりも外周に、且つ、前記指針の回転軸を中心として等間隔に配置され、
前記指針照射部は、前記回転軸を中心とした円形状を呈することを特徴とする請求項１又は請求項２記載の計器。
【請求項４】
前記回転軸は、キャップ部材によって覆われ、
前記キャップ部材は、前記指針照射部も覆っていることを特徴とする請求項３記載の計器。
【発明の詳細な説明】
【技術分野】
【０００１】
本発明は、制御基板によって制御される表示部と、この表示部の上方に回転可能に設けられた指針と、を有する計器に関する。
【背景技術】
【０００２】
例えば、液晶表示器によって文字を表示し、表示された文字を指針によって指示することにより、使用者に情報を提供する計器が知られている。このような計器に関する従来技術として、特許文献１に開示される技術がある。
【０００３】
特許文献１に示されるような、計器は、制御基板と、この制御基板によって制御され文字が表示される表示部と、この表示部の上方に回転可能に設けられ文字を指示する指針と、を備えている。特許文献１の段落番号００７５には、このような計器を自動車の各種メータ等に適用できる旨が記載されている。
【０００４】
ところで、車両は、太陽光の強い時間帯や夜間に走行することがある。太陽光によって計器の視認性が低下することや、計器の周りが暗いことにより計器の視認性が低下することが考えられる。車両用計器に限らず、計器は、使用環境によって視認性が悪化する虞があり、この点について改善の余地がある。
【先行技術文献】
【特許文献】
【０００５】
【特許文献１】特開２００７−５７２７４号公報
【発明の概要】
【発明が解決しようとする課題】
【０００６】
本発明は、様々な使用環境下において高い視認性を確保することができる計器の提供を課題とする。
【課題を解決するための手段】
【０００７】
請求項１による発明によれば、制御基板と、この制御基板によって制御され文字が表示される表示部と、この表示部の上方に回転可能に設けられ前記文字を指示する指針と、前記制御基板に実装された光源と、この光源から前記表示部の上面まで延び前記表示部を照らす導光体と、を有する計器であって、
前記指針を照射するための指針照射部が、前記導光体に一体的に設けられていることを特徴とする計器が提供される。
【０００８】
請求項２に記載のごとく、好ましくは、前記表示部は、前記導光体の下面に沿って設けられ、
前記指針は、前記指針照射部の上方に位置する。
【０００９】
請求項３に記載のごとく、好ましくは、前記文字は、前記表示部の外周縁の近傍に表示可能とされ、
前記光源は、前記表示部よりも外周に、且つ、前記指針の回転軸を中心として等間隔に配置され、
前記指針照射部は、前記回転軸を中心とした円形状を呈する。
【００１０】
請求項４に記載のごとく、好ましくは、前記回転軸は、キャップ部材によって覆われ、
前記キャップ部材は、前記指針照射部も覆っている。
【発明の効果】
【００１１】
請求項１に係る発明では、指針を照射するための指針照射部が、導光体に一体的に設けられている。これにより、光源からの光により、表示部、及び、指針の両方を照らすことができる。表示部、及び、指針を光源の光によって照らすことにより、夜間等であっても計器を容易に視認することができる。即ち、様々な使用環境下において高い視認性を確保することができる。
【００１２】
指針照射部が一体的に設けられた導光体を用いて、高い視認性を確保している。指針照射部、及び、導光体をそれぞれ別体で設けた場合に比べて、部品点数の増加を抑制することができる。
【００１３】
請求項２に係る発明では、表示部は、導光体の下面に沿って設けられ、指針は、指針照射部の上方に位置する。光源によって照らされた指針の影が表示部に移り込むことを抑制することができ、計器の意匠性を高めることができる。
【００１４】
請求項３に係る発明では、文字を表示部の外周縁の近傍に表示することにより、それぞれの文字を離間して配置することができる。これにより、指針がどの文字を指示しているのかを明確に認識することができる。このとき、光源は、表示部よりも外周に、且つ、指針の回転軸を中心として等間隔に配置されている。即ち、文字の近傍に等間隔に配置されている。これにより、文字をより明るく照らすことができる。これにより、文字の高い視認性を確保することができる。
【００１５】
指針照射部は、回転軸を中心とした円形状を呈する。指針照射部が連続して形成されているため、指針が回転した場合であっても、指針を確実に照射することができる。これにより指針の高い視認性を確保することができる。
【００１６】
以上より、文字、及び、指針の高い視認性を確保することができる。計器全体として視認性の高い計器を提供することができる。
【００１７】
請求項４に係る発明では、回転軸は、キャップ部材によって覆われ、キャップ部材は、指針照射部も覆っている。キャップ部材は、回転軸、及び、指針照射部の両方を覆っている。少ない部品点数によって、意匠性を高めることができる。
【図面の簡単な説明】
【００１８】
【図１】本発明の実施例による計器の正面図である。
【図２】図１の２−２線断面図である。
【図３】図２の３−３線断面図である。
【図４】図２の４部拡大図である。
【図５】図２に示された計器の作用を説明する図である。
【発明を実施するための形態】
【００１９】
本発明の実施の形態を添付図に基づいて以下に説明する。なお、説明中、左右とは車両の乗員を基準として左右、前後とは車両の進行方向を基準として前後を指す。
＜実施例＞
【００２０】
図１を参照する。計器１０は、例えば、車速計であり、二輪車の前部に取り付けられる。計器１０は、正面視において円形状を呈する。
【００２１】
図２を参照する。計器１０は、ケース２０と、このケース２０内に収納された制御基板３０と、この制御基板３０の下面に設けられたモータ１３と、このモータ１３のモータ軸１３ａに取り付けられた指針１４と、この指針１４に被せられモータ軸１３ａを覆っているキャップ部材１５と、制御基板３０の上面に実装された光源１６と、この光源１６に被せられ光源１６の発した光を導く導光体４０と、この導光体４０によって覆われ制御基板３０によって表示される文字５１（図１参照）が制御される表示部５０と、導光体４０の端部に一体的に形成され指針１４を照射可能な指針照射部１９と、ケース２０の上面に被せられた蓋体７０と、を有する。
【００２２】
ケース２０は、円盤状の底部２１と、この底部２１の周縁から立ち上げられた周壁部２２と、これらの底部２１及び周壁部２２の境界に段差状に形成され上面に制御基板３０が固定された段差部２３と、からなる。ケース２０は、底部２１、周壁部２２、及び段差部２３が一体的に形成された樹脂成形品によって構成される。
【００２３】
制御基板３０は、中心に空けられモータ軸１３ａが貫通している中央貫通孔部３１と、外周縁の近傍に複数（例えば、４つ）空けられビス６１が貫通しているビス貫通孔部３２，３２と、表示部５０にフレキシブルケーブル６２を介して接続される基板側コネクタ部３３と、を有している。
【００２４】
モータ１３は、例えば、ステッピングモータが採用される。なお、指針１４の駆動方法としては、モータ１３に代えて可動磁石式を採用してもよい。
【００２５】
指針１４は、透光性を有する樹脂によって構成されている。本発明では、指針１４は、応答性に優れた実物の指針１４が用いられる。即ち、デジタル表示された指針は、本発明の指針に含まれない。指針１４は、モータ軸１３ａに取り付けられた回転軸１４ａを有している。指針照射部１９から回転軸１４ａに導入された光を先端に向かって反射させるために、回転軸１４ａに対して傾けられたテーパ面部１４ｂを有している。
【００２６】
図３を併せて参照する。光源１６は、表示部よりも外周に、且つ、指針１４の回転軸１４ａを中心として等間隔に複数（例えば、８つ）配置されている。光源１６は、ＬＥＤによって構成されている。
【００２７】
導光体４０は、略ハット状を呈し、制御基板３０の上面に固定されたドーナツ板状の鍔部４１と、この鍔部４１の内周から立ち上げられた縦壁部４２と、この縦壁部４２の上面に形成された頂部４３と、からなる。
【００２８】
鍔部４１は、ビス６１が貫通しているビス貫通孔部４１ａ，４１ａが複数（例えば、４つ）空けられている。制御基板３０、及び、導光体４０は、ケース２０の段差部２３に、ビス６１，６１によって共締めすることにより固定されている。
【００２９】
鍔部４１と縦壁部４２との境界の光源１６が配置される部位は、光源１６を配置するために空隙状に形成された空隙部４１ｂによって構成されている。空隙部４１ｂは、光源１６の配置される位置に合わせて複数（例えば、８つ）設けられている。
【００３０】
縦壁部４２と頂部４３との境界は、頂部４３の中心に向かって光を反射させるようにテーパ状に形成されている。
【００３１】
頂部４３は、モータ１３のモータ軸１３ａや指針１４の回転軸１４ａが貫通可能に丸穴状に構成されている。頂部４３の中心に一体的に指針照射部１９が形成されている。
【００３２】
図４を参照する。頂部４３の上面には、導光体４０の内部を通過する光を表示部５０に向かって反射させるために、凹状に形成されたエッジ部４３ａが無数に設けられている。なお、エッジ部４３ａの形状は、任意である。
【００３３】
図１及び図２を参照する。表示部５０は、いわゆる電子ペーパーによって構成されている。表示部５０は、表面が導光体４０の頂部４３に密着して固定されている。即ち、導光体４０は、光源１６から表示部５０の上面まで延びている。表示部５０の裏面には、フレキシブルケーブル６２を介して制御基板３０に接続される表示部側コネクタ５２が設けられている。円形状の表示部５０の中央には、指針１４の回転軸１４ａが貫通している貫通孔部５３が設けられている。表示部５０は、裏面から照射した光を透過しない。即ち、表示部５０に表示された文字を照らすには、光を表面側から照射する必要がある。
【００３４】
表示部５０の外周縁の近傍には、車速を示すための文字５１（数字１８ａ）が表示されている。表示部５０に表示される文字５１は、制御基板３０によって制御されている。なお、文字５１は、数字の他、アルファベット等の文字や、目盛り、スラッシュ等の記号であってもよい。
【００３５】
二重鎖線６３によって示される表示部５０の下部の領域は、オドメータやトリップメータ、フューエルメータとして用いることができる。走行距離や燃料残量に応じて、表示を変化させることができる。また、乗員の操作によって複数の情報を切り替えることや、同時に複数の情報が表示されるようにしてもよい。さらには、下部の領域は、ナビゲーション情報を表示する部位として用いることもできる。即ち、下部の領域に表示される情報は、任意の情報を選択することができる。
【００３６】
電気的な手段によって文字５１が表示される表示部５０を用いることにより、表示部５０に様々な情報を表示することができる。また、情報のレイアウト性を高めることができる。一方、指針１４については実物の指針を用いることにより、高い応答性を確保することができる。
【００３７】
指針照射部１９は、導光体４０の頂部４３の中心側の端部から連続して、上方に向かって延びることにより構成されている。指針照射部１９は、リング状に形成されている。即ち、指針照射部１９は、回転軸１４ａを中心とした円形状を呈する。頂部４３と、指針照射部１９との境界は、上方に位置する指針１４に向かって光を反射しやすいよう、テーパ状に形成されている。
【００３８】
蓋体７０は、外周に形成され遮光性を有する遮光部７１と、この遮光部７１の内側に設けられ透光性を有することにより指針１４を視認可能とする透光部７２と、を有している。遮光部７１は、例えば、黒色の樹脂によって構成されている。透光部７２は、例えば、無色透明の樹脂によって構成されている。
【００３９】
図５を参照する。光源１６を点灯させると、光源１６から出射された光は、導光体４０の内部を通過する。より具体的には、縦壁部４２及び頂部４３を通過する。頂部４３を通過した光は、頂部４３に連続的に形成された指針照射部１９に達する。指針照射部１９に達した光は、指針照射部１９の先端から指針１４の内部に達する。これにより、指針１４が光って見える。
【００４０】
図４を参照する。頂部４３を通過する光の一部は、エッジ部４３ａにおいて下方に向かって反射される。下方に反射した光は、表示部５０を照らす。表示部５０を照らすことにより、表示部５０に表示された文字５１等を容易に視認することができる。
【００４１】
縦壁部４２及び頂部４３の境界や頂部４３及び指針照射部１９の境界は、光の進行方向に対して傾けられている。光を反射させることにより、効率よく光を指針１４に導くことができる。指針１４に形成されたテーパ面部１４ｂについても同様である。即ち、先端に向かって光を反射させることにより、効率よく光を反射させ、指針１４をより明るく光らせることができる。
【００４２】
以上に説明した本発明は、以下の効果を奏する。
【００４３】
図５を参照する。指針１４を照射するための指針照射部１９が、導光体４０に一体的に設けられている。これにより、光源１６からの光により、表示部５０（図４も併せて参照）、及び、指針１４の両方を照らすことができる。表示部５０、及び、指針１４を光源１６の光によって照らすことにより、夜間等であっても計器１０を容易に視認することができる。即ち、様々な使用環境下において高い視認性を確保することができる。
【００４４】
指針照射部１９が一体的に設けられた導光体４０を用いて、高い視認性を確保している。指針照射部１９、及び、導光体４０をそれぞれ別体で設けた場合に比べて、部品点数の増加を抑制することができる。
【００４５】
さらに、表示部５０は、導光体４０の下面に沿って設けられ、指針１４は、指針照射部１９の上方に位置する。光源１６によって照らされた指針１４の影が表示部５０に移り込むことを抑制することができ、計器１０の意匠性を高めることができる。
【００４６】
図１を参照する。文字５１を表示部５０の外周縁の近傍に表示することにより、それぞれの文字５１を離間して配置することができる。これにより、指針１４がどの文字５１を指示しているのかを明確に認識することができる。図３を併せて参照する。このとき、光源１６は、表示部５０よりも外周に、且つ、指針１４の回転軸１４ａを中心として等間隔に配置されている。即ち、文字５１の近傍に等間隔に配置されている。これにより、文字５１をより明るく照らすことができる。これにより、文字５１の高い視認性を確保することができる。
【００４７】
指針照射部１９は、回転軸１４ａを中心とした円形状を呈する。指針照射部１９が連続して形成されているため、指針１４が回転した場合であっても、指針１４を確実に照射することができる。これにより指針１４の高い視認性を確保することができる。
【００４８】
以上より、文字５１、及び、指針１４の高い視認性を確保することができる。計器１０全体として視認性の高い計器１０を提供することができる。
【００４９】
図５を参照する。回転軸１４ａは、キャップ部材１５によって覆われ、キャップ部材１５は、指針照射部１９も覆っている。キャップ部材１５は、回転軸１４ａ、及び、指針照射部１９の両方を覆っている。少ない部品点数によって、意匠性を高めることができる。
【００５０】
指針１４を覆っている蓋体７０をさらに有している。蓋体７０は、外周に形成され遮光性を有する遮光部７１と、この遮光部７１の内側に設けられ透光性を有することにより指針１４を視認可能とする透光部７２と、を有している。光源１６は、遮光部７１によって覆われている。光源１６が外部から直接的に視認されることを抑制し、意匠性を高めることができる。
【００５１】
制御基板３０、及び、導光体４０が収納されるケース２０を有している。制御基板３０、及び、導光体４０は、共通のビス６１によってケース２０に固定されている。制御基板３０、及び、導光体４０の位置決めを簡単に行うと共に、少ない部品点数によって計器１０を構成することができる。
【００５２】
尚、本発明による計器は、二輪車の車速計を例に説明したが、二輪車の他にも四輪車や三輪車等他の車両にも適用可能である。さらに、本発明は、車両以外の乗り物や医療機器、温度計、湿度計等にも適用することができる。
【００５３】
本発明の作用及び効果を奏する限りにおいて、本発明は、実施例に限定されるものではない。
【産業上の利用可能性】
【００５４】
本発明の計器は、二輪車の車速計に好適である。
【符号の説明】
【００５５】
１０…車両
１４…指針
１４ａ…回転軸
１５…キャップ部材
１６…光源
１９…指針照射部
３０…制御基板
４０…導光体
５０…表示部
５１…文字
【図１】
2017106805.tif 000003
【図２】
2017106805.tif 000004
【図３】
2017106805.tif 000005
【図４】
2017106805.tif 000006
【図５】
2017106805.tif 000007